(57)【要約】  タイル張り状ディスプレイ用のサブディスプレイは中央領域及び第１周縁領域を含む。中央領域は画素の配列を備え、各画素は第１領域と少なくとも１つの第１光源とを有する。第１周縁領域は第１サブ画素の配列を備え、各第１サブ画素は第２領域と少なくとも１つの第２光源とを有する。各第２領域は各第１領域より小さく、各第２光源は各第１光源より少ない光束を放出する。
2020536270.tif 000002
【特許請求の範囲】
【請求項１】
タイル張り状ディスプレイ用のサブディスプレイであって、
画素の配列を備えた中央領域であって、各画素は第１領域と少なくとも１つの第１光源とを有する、中央領域と、
第１サブ画素の配列を備えた第１周縁領域であって、各第１サブ画素は第２領域と少なくとも１つの第２光源とを有する、第１周縁領域と
を備え、
各第２領域は各第１領域より小さく、各第２光源は各第１光源より少ない光束を放出する、サブディスプレイ。
【請求項２】
各第２領域は各第１領域のサイズの半分であり、
前記中央領域の各画素の輝度は各第１サブ画素の輝度に等しい、請求項１記載のサブディスプレイ。
【請求項３】
各第２領域は各第１領域のサイズの半分であり、
各第２光源は各第１光源のサイズの半分である、請求項１又は２記載のサブディスプレイ。
【請求項４】
前記第１光源のそれぞれは第１マイクロＬＥＤを含み、
前記第２光源のそれぞれは第２マイクロＬＥＤを含む、請求項１〜３のいずれかに記載のサブディスプレイ。
【請求項５】
各画素は第１赤マイクロＬＥＤ、第１緑マイクロＬＥＤ、及び第１青マイクロＬＥＤを含み、
各第１サブ画素は第２赤マイクロＬＥＤ、第２緑マイクロＬＥＤ、及び第２青マイクロＬＥＤを含む、請求項４記載のサブディスプレイ。
【請求項６】
各第２光源は各第１光源と直交する、請求項１〜５のいずれかに記載のサブディスプレイ。
【請求項７】
各第２光源は各第１光源に対して１０度と８０度の間の角度で配置されている、請求項１〜５のいずれかに記載のサブディスプレイ。
【請求項８】
第１サブディスプレイと前記第１サブディスプレイに隣接する第２サブディスプレイとを備えるタイル張り状ディスプレイであって、
前記第１サブディスプレイ及び前記第２サブディスプレイのそれぞれは
第１画素の配列を備えた中央領域であって、各第１画素は少なくとも１つの第１光源を有する、中央領域と、
第１サブ画素の配列を備えた第１周縁領域であって、各第１サブ画素は少なくとも１つの第２光源を有する、第１周縁領域と
を備え、
前記各第１サブ画素は前記各第１画素のサイズより小さく、
前記第１サブディスプレイの第１サブ画素の前記配列は前記第２サブディスプレイの第１サブ画素の前記配列と隣接して第１継ぎ目画素の配列を提供する、タイル張り状ディスプレイ。
【請求項９】
各サブディスプレイは
第２サブ画素の配列を備えた第２周縁領域と、
第１サブ画素の前記配列と第２サブ画素の前記配列との交点にある角サブ画素と
を更に備え、
前記角サブ画素は前記各第１サブ画素のサイズより小さい、請求項８記載のタイル張り状ディスプレイ。
【請求項１０】
前記各第１サブ画素は前記各第１画素のサイズの半分であり、前記角サブ画素は前記各第１画素のサイズの１／４である、請求項９記載のタイル張り状ディスプレイ。
【請求項１１】
前記第１サブディスプレイの各第１サブ画素は第１構成に配列された複数のマイクロＬＥＤを備え、
前記第２サブディスプレイの各第１サブ画素は前記第１構成と異なる第２構成に配列された複数のマイクロＬＥＤを備える、請求項８記載のタイル張り状ディスプレイ。
【発明の詳細な説明】
【関連出願】
【０００１】
本出願は、２０１７年９月２８日に出願された米国仮特許出願第６２／５６４５７８号の米国特許法第１１９条の下の優先権の利益を主張するものであり、その内容全体を本明細書に援用する。
【技術分野】
【０００２】
本開示は概ね、タイル張り状ディスプレイに関する。特に、互いに隣接して配置されより大きなディスプレイを形成する複数のサブディスプレイを含むタイル張り状マイクロＬＥＤディスプレイに関する。
【背景技術】
【０００３】
大面積ディスプレイは、単一の大面積基板上に製造するのは現実的でないかもしれない。例えば、ディスプレイのサイズは既存のプロセス設備が扱いうるよりも大きいかもしないし及び／又は大きなディスプレイサイズの歩留りはより小さなディスプレイサイズの歩留りよりずっと低いかもしない。これらの場合、複数のより小さなサブディスプレイを張ることでディスプレイを製造することは有利である。複数のより小さなサブディスプレイを張ってより大きなディスプレイを作製することは、マイクロＬＥＤ、ＬＥＤ、有機発光ダイオード（ＯＬＥＤ）、及び液晶ディスプレイ（ＬＣＤ）を含むディスプレイ技術に適用されてよい。タイル張り状ディスプレイの共通の問題は、不完全な位置合わせによるタイル間の目に見える継ぎ目、タイル間での画素のばらつき、及び／又は他の製造関連因子である。
【０００４】
マイクロＬＥＤは小さな（例えば、通常１００μｍ×１００μｍより小さい）発光要素である。それらは５×１０７ｎｉｔ（ｃｄ／ｍ２）までの高輝度を生成する無機半導体要素である。従って、マイクロＬＥＤは高解像度で大きいタイル張り状ディスプレイに特に適している。しかし、タイル張り状マイクロＬＥＤディスプレイのサブディスプレイ間の目に見える継ぎ目は受け入れられないかもしれない。従って、サブディスプレイ及びサブディスプレイから製造され予想される視認条件で見えにくい又は見えない継ぎ目を形成するタイル張り状ディスプレイが本明細書に開示される。
【発明の概要】
【０００５】
本開示の幾つかの実施形態はタイル張り状ディスプレイ用のサブディスプレイに関する。サブディスプレイは中央領域及び第１周縁領域を含む。中央領域は画素の配列を備え、各画素は第１領域と少なくとも１つの第１光源とを有する。第１周縁領域は第１サブ画素の配列を備え、各第１サブ画素は第２領域と少なくとも１つの第２光源とを有する。各第２領域は各第１領域より小さく、各第２光源は各第１光源より少ない光束を放出する。
【０００６】
本開示の他の実施形態はタイル張り状ディスプレイに関する。タイル張り状ディスプレイは第１サブディスプレイと前記第１サブディスプレイに隣接する第２サブディスプレイとを備える。前記第１サブディスプレイ及び前記第２サブディスプレイのそれぞれは、中央領域と第１周縁領域とを備える。中央領域は第１画素の配列を備え、各第１画素は少なくとも１つの第１光源を有する。第１周縁領域は第１サブ画素の配列を備え、各第１サブ画素は少なくとも１つの第２光源を有する。前記各第１サブ画素は前記各第１画素のサイズより小さい。前記第１サブディスプレイの第１サブ画素の前記配列は前記第２サブディスプレイの第１サブ画素の前記配列と隣接して第１継ぎ目画素の配列を提供する。
【０００７】
本開示の更に他の実施形態はディスプレイを製造するための方法に関する。その方法は、複数のサブディスプレイを準備するステップを含む。各サブディスプレイは複数の第１画素を備えた中央領域と複数の第１サブ画素を備えた周縁領域とを有する。各第１画素は少なくとも１つの第１マイクロＬＥＤを備え、各第１サブ画素は各第１マイクロＬＥＤより少ない光束を放出するように構成された少なくとも１つの第２マイクロＬＥＤを備える。前記方法は前記複数のサブディスプレイを、各サブディスプレイの第１サブ画素が隣接するサブディスプレイの第１サブ画素に隣接するように、互いに隣接して配置して、隣接するサブディスプレイ間を延びる複数の継ぎ目画素を提供するステップを更に含む。
【０００８】
本明細書に開示されたタイル張り状ディスプレイは、サブディスプレイ間の見えにくい継ぎ目を有する。タイル張り状ディスプレイはまた、隣接するサブディスプレイの縁の画素と位置合わせとに対するより緩い要求のゆえにより大きな製造許容誤差も有している可能性がある。
【０００９】
追加の特徴と利点は下記の詳細な説明において記述され、その説明から当業者にとって容易に明白となるか、又は下記の詳細な説明、請求項、及び添付図面を含めて本明細書に記載した実施形態を実施することにより認識されるであろう。
【００１０】
上記概要説明と下記の詳細な説明の両方とも様々な実施形態を説明し、請求項に記載された対象物の特質及び特性を理解するための概観又は枠組みを提供するよう意図されていることは理解されるべきである。添付図面はそれら様々な実施形態の更なる理解を提供するために含まれ、本明細書に組み込まれ一部をなしている。図面は本明細書に記載された様々な実施形態を例示し、記述内容と共に請求項に記載された対象物の原理と動作を説明するよう働く。
【図面の簡単な説明】
【００１１】
【図１】サブディスプレイの一例を概略的に描く。
【図２】別の例のサブディスプレイを概略的に描く。
【図３】タイル張り状ディスプレイの一例を概略的に描く。
【図４Ａ】別の例のタイル張り状ディスプレイを概略的に描く。
【図４Ｂ】図４Ａのタイル張り状ディスプレイのサブディスプレイの角領域の拡大図である。
【図５】タイル張り状ディスプレイの継ぎ目の一例を概略的に描く。
【図６】タイル張り状ディスプレイの別の例の継ぎ目を概略的に描く。
【図７】タイル張り状ディスプレイの別の例の継ぎ目を概略的に描く。
【図８】タイル張り状ディスプレイの別の例の継ぎ目を概略的に描く。
【図９】タイル張り状ディスプレイの別の例の継ぎ目を概略的に描く。
【図１０】タイル張り状ディスプレイの別の例の継ぎ目を概略的に描く。
【図１１】ディスプレイを製造するための方法の一例を例示するフロー図である。
【発明を実施するための形態】
【００１２】
本開示の複数の実施形態を、それらの例を添付の図面に例示し、詳細に記述する。可能ならいつでも、同じ又は類似の部品を指すために同じ符号を全図面に亘って使用する。しかし、本開示は多くの異なる形態で具体化されてよいし、本明細書に明記された実施形態に限定されると解釈されるべきではない。
【００１３】
本明細書では範囲は、「約」特定の値から及び／又は「約」別の特定の値までとして表されうる。そのような範囲が表された時、別の実施形態はその１つの特定の値から及び／又はその別の特定の値までを含む。同様に、値が先行する「約」を使って近似値として表された時、その特定の値は別の実施形態を形成することは理解されよう。また、各範囲の端点は他方の端点と関係して、また他方の端点とは独立して意味があることは理解されよう。
【００１４】
本明細書で使用される方向の用語、例えば上へ、下へ、右へ、左へ、前、後、上部、底部、垂直の、水平のは描かれた図を参照してのみ使用され、絶対的な向きを意味するように意図されていない。
【００１５】
そうでないと明確に記述されていない限り、本明細書で明らかにされるどんな方法も、特定の順序でそのステップが実行されることを要求していると解釈されることも、どんな装置も特定の向きが要求されることも決して意図していない。従って、方法請求項がそのステップが従う順序を実際に明記しない場合、又はどんな装置請求項も個々の構成要素の順序も向きも実際に明記しない場合、又は請求項又は説明でステップが特定の順序に限定されるべきであると明確に記述されていない場合、又は装置の構成要素の特定の順序も向きも明記されていない場合、順序や向きが推測されることはいかなる点でも全く意図されていない。この事は、ステップの配列、動作フロー、構成要素の順序、又は構成要素の向きに関する論理事項、文法構成又は句読点から導出される平易な意味、及び本明細書で説明される実施形態の数又は種類を含む、解釈のためのどんな可能な非明示の根拠にも当てはまる。
【００１６】
本明細書で使用されるように、文脈からそうでないと明らかに指示されない限り、英語の単数形「a」、「an」、及び「the」は複数の指示対象を含む。従って、例えば、１つの構成要素への言及は、文脈からそうでないと明らかに示されない限り、２つ以上のそのような構成要素を有する態様を含む。
【００１７】
本書で使用されるように、画素の輝度は、特定の方向の投影立体角当たりの、画素により放出された光束を画素面積で割ったものである。
【００１８】
本書に記載され例示された下記の代表的なサブディスプレイは形状が正方形又は矩形であるが、本開示は、サブディスプレイが貼り付けられてより大きなディスプレイを提供しうる任意の適切な形状（例えば、六角形）を有するサブディスプレイに適用可能である。よって、正方形又は矩形形状のサブディスプレイは複数の縁と、従って互いに直交（即ち、９０°）した周縁領域（例えば、縁に隣接した領域）とを有するが、他の形状のサブディスプレイは複数の縁と、従って他の角度（例えば、六角形の場合、１２０°）で交わる周縁領域とを有してよい。従って、正方形又は矩形のサブディスプレイの説明で本書に記載された「直交」する周縁領域及び「角」の領域は、周縁領域が交点（即ち、角）領域において交わる他の形状のサブディスプレイにも適用される。図１を参照すると、代表的なサブディスプレイ１００が描かれている。サブディスプレイ１００は中央領域１０２と第１周縁領域１２２ａ及び１２２ｂとを含む。中央領域１０２は第１周縁領域１２２ａと第１周縁領域１２２ｂの間にある。中央領域１０２は画素１０４の配列を含む。この例では、中央領域１０２は画素１０４の２次元（２Ｄ）配列を含む。画素１０４の配列は任意の適切な数の行及び列を含んでよい。図１に描かれた中央領域１０２は画素１０４の等しい数の行及び列を含むが、他の例では、中央領域１０２は異なる数の行及び列を含んでもよい。
【００１９】
各画素１０４は１０６で示された幅及び１０８で示された長さにより規定された第１領域を含む。各画素１０４は第１光源１１０も含む。各画素１０４の第１光源１１０は、マイクロＬＥＤのような発光ダイオード（ＬＥＤ）又は光を出す別の適切な構成要素であってもよい。図１に描かれた各画素１０４は１つの光源１１０を含むが、他の例では、各画素１０４は２つ、３つ、４つ、又はそれより多くの光源を含んでもよい。この例では、各光源１１０は形状が矩形である。他の例では、各光源１１０は別の適切な形状、例えば正方形又は円形形状を有してもよい。
【００２０】
第１周縁領域１２２ａは第１サブ画素１２４の配列を含む。各第１サブ画素１２４は１２６で示された幅及び１２８で示された長さにより規定された第２領域を含む。各第１サブ画素１２４は第２光源１３０も含む。各第１サブ画素１２４の第２光源１３０は、マイクロＬＥＤのようなＬＥＤ又は光を出す別の適切な構成要素であってもよい。図１に描かれた各第１サブ画素１２４は１つの光源１３０を含むが、他の例では、各第１サブ画素１２４は２つ、３つ、４つ、又はそれより多くの光源を含んでもよい。この例では、各光源１３０は正方形形状である。他の例では、各光源１３０は別の適切な形状、例えば非正方形の直角４辺形又は円形形状を有してもよい。第１周縁領域１２２ｂは第１サブ画素１２４の配列を含む第１周縁領域１２２ａに類似する。１つの例では、例えば、１つの行に２つだけのサブディスプレイが配置されたタイル張り状ディスプレイの場合、第１周縁領域１２２ａ、１２２ｂの一方が除外される（即ち、第１周縁領域はサブディスプレイの別のサブディスプレイに隣接する側だけに設けられる）。
【００２１】
各第１サブ画素１２４の幅１２６及び長さ１２８で規定された各第２領域は、各画素１０４の幅１０６及び長さ１０８で規定された各第１領域より小さい。例示された代表的な実施形態では、各第１サブ画素１２４の長さ１２８は各画素１０４の長さ１０８にほぼ等しく、各第１サブ画素１２４の幅１２６は各画素１０４の幅１０６より小さい。１つの例では、各第２領域は各第１領域のサイズの約半分であり、各第１サブ画素１２４の幅１２６は各画素１０４の幅１０６の約半分である。第１サブ画素１２４群の各第２光源１３０は画素１０４群の各第１光源１１０より少ない光束を放出する。１つの例では、各画素１０４の輝度は各第１サブ画素１２４の輝度にほぼ等しい。別の例では、第１サブ画素１２４群の各第２光源１３０は画素１０４群の各第１光源１１０より小さい。１つの例では、第１サブ画素１２４群の各第２光源１３０は画素１０４群の各第１光源１１０のサイズの約半分である。各第２光源１３０が各第１光源１１０とほぼ同じサイズである場合、各第２光源１３０は各第１光源１１０より少ない電流量で駆動されて、各第１光源１１０より少ない光束を放出してよい。各第２光源１３０が各第１光源１１０より小さい場合、各第２光源１３０は各第１光源１１０と同じ電流量で駆動されて、各第１光源１１０より少ない光束を放出してよい。
【００２２】
図２は別の例のサブディスプレイ１５０を概略的に描く。サブディスプレイ１５０は、図１を参照して前に説明し例示したように中央領域１０２と第１周縁領域１２２ａ及び１２２ｂとを含む。加えて、サブディスプレイ１５０は第２周縁領域１５２ａ及び１５２ｂ、と角領域１６２ａ、１６２ｂ、１６２ｃ、及び１６２ｄとを含む。第２周縁領域１５２ａ及び１５２ｂは第１周縁領域１２２ａ及び１２２ｂと直交する。角領域１６２ａは第１周縁領域１２２ａと第２周縁領域１５２ａとの交点にある。角領域１６２ｂは第１周縁領域１２２ｂと第２周縁領域１５２ａとの交点にある。角領域１６２ｃは第１周縁領域１２２ｂと第２周縁領域１５２ｂとの交点にある。角領域１６２ｄは第１周縁領域１２２ａと第２周縁領域１５２ｂとの交点にある。
【００２３】
第２周縁領域１５２ａは第２サブ画素１５４の配列を含む。各第２サブ画素１５４は１５６で示された幅及び１５８で示された長さにより規定された第２領域を含む。各第２サブ画素１５４は第２光源１３０も含む。各第２サブ画素１５４の第２光源１３０は、マイクロＬＥＤのようなＬＥＤ又は光を出す別の適切な構成要素であってもよい。図２に描かれた各第２サブ画素１５４は１つの光源１３０を含むが、他の例では、各第２サブ画素１５４は２つ、３つ、４つ、又はそれより多くの光源を含んでもよい。この例では、各光源１３０は正方形形状である。他の例では、各光源１３０は別の適切な形状、例えば非正方形の直角４辺形又は円形形状を有してもよい。第２周縁領域１５２ｂは第２サブ画素１５４の配列を含む第２周縁領域１５２ａに類似する。
【００２４】
各第２サブ画素１５４の幅１５６及び長さ１５８で規定された各第２領域は、各画素１０４の幅１０６及び長さ１０８で規定された各第１領域より小さい。この例では、各第２サブ画素１５４の幅１５６は各画素１０４の幅１０６にほぼ等しく、各第２サブ画素１５４の長さ１５８は各画素１０４の長さ１０８より小さい。１つの例では、各第２領域は各第１領域のサイズの約半分であり、各第２サブ画素１５４の長さ１５８は各画素１０４の長さ１０８の約半分である。第２サブ画素１５４群の各第２光源１３０は画素１０４群の各第１光源１１０より少ない光束を放出する。１つの例では、各画素１０４の輝度は各第２サブ画素１５４の輝度にほぼ等しい。別の例では、第２サブ画素１５４群の各第２光源１３０は画素１０４群の各第１光源１１０より小さい。１つの例では、第２サブ画素１５４群の各第２光源１３０は画素１０４群の各第１光源１１０のサイズの約半分である。第２サブ画素１５４群の各第２光源１３０は第１サブ画素１２４群の各第２光源１３０と同じ向き又は異なる向きを有してもよい。
【００２５】
各角領域１６２ａ、１６２ｂ、１６２ｃ、及び１６２ｄは第３サブ画素１６４を含む。各第３サブ画素１６４は１６６で示された幅及び１６８で示された長さにより規定された第３領域を含む。各第３サブ画素１６４は第３光源１７０も含む。各第３サブ画素１６４の第３光源１７０は、マイクロＬＥＤのようなＬＥＤ又は光を出す別の適切な構成要素であってもよい。図２に描かれた各第３サブ画素１６４は１つの光源１７０を含むが、他の例では、各第３サブ画素１６４は２つ、３つ、４つ、又はそれより多くの光源を含んでもよい。この例では、各光源１７０は矩形形状である。他の例では、各光源１７０は別の適切な形状、例えば円形形状を有してもよい。１つの例では、例えば２行２列に４つのサブディスプレイが配置されたタイル張り状ディスプレイの場合、第１周縁領域１２２ｂ、第２周縁領域１５２ｂ、及び角領域１６２ｂ、１６２ｃ、及び１６２ｄが除外される。
【００２６】
各第３サブ画素１６４の幅１６６及び長さ１６８で規定された各第３領域は、各画素１０４の幅１０６及び長さ１０８で規定された各第１領域より小さい。この例では、各第３サブ画素１６４の長さ１６８は各第２サブ画素１５４の長さ１５８にほぼ等しく、各第３サブ画素１６４の幅１６６は各第１サブ画素１２４の幅１２６にほぼ等しい。１つの例では、各第３領域は各第１領域のサイズの約１／４であり、各第３サブ画素１６４の幅１６６は各画素１０４の幅１０６の約半分であり、各第３サブ画素１６４の長さ１６８は各画素１０４の長さ１０８の約半分である。第３サブ画素１６４群の各第３光源１７０は画素１０４群の各第１光源１１０より少ない光束を放出し、第１サブ画素１２４及び第２サブ画素１５４の各第２光源１３０より少ない光束を放出する。１つの例では、各画素１０４の輝度は各第１サブ画素１２４及び各第２サブ画素１５４の輝度及び各第３サブ画素１６４の輝度にほぼ等しい。別の例では、第３サブ画素１６４群の各第３光源１７０は画素１０４群の各第１光源１１０より小さく、第１サブ画素１２４及び第２サブ画素１５４の各第２光源１３０より小さい。１つの例では、第３サブ画素１６４群の各第３光源１７０は画素１０４群の各第１光源１１０のサイズの約１／４であり、第１サブ画素１２４及び第２サブ画素１５４の各第２光源１３０の約半分ある。
【００２７】
図３は代表的なタイル張り状ディスプレイ１９０を概略的に描く。タイル張り状ディスプレイ１９０はサブディスプレイ２００と総称される第１サブディスプレイ２００ａ及び第２サブディスプレイ２００ｂを含む。２つのサブディスプレイ２００が図３に描かれているが、タイル張り状ディスプレイ１９０は単一の行に配列された任意の適切な数のサブディスプレイ２００、例えば３つ、４つ、又はそれより多くのサブディスプレイ２００を含んでもよい。第１サブディスプレイ２００ａは第２サブディスプレイ２００ｂに隣接し第１サブディスプレイ２００ａと第２サブディスプレイ２００ｂの間の継ぎ目１９２を画定する。
【００２８】
各サブディスプレイ２００は中央領域２０２と第１周縁領域２２２と総称される第１周縁領域２２２ａ及び２２２ｂとを含む。各中央領域２０２は第１周縁領域２２２ａと第１周縁領域２２２ｂの間にある。各中央領域２０２は画素２０４の配列を含む。この例では、各中央領域２０２は画素２０４の２Ｄ配列を含む。画素２０４の各配列は任意の適切な数の行及び列を含んでよい。図３に描かれた各中央領域２０２は画素２０４の等しい数の行及び列を含むが、他の例では、各中央領域２０２は異なる数の行及び列を含んでもよい。
【００２９】
各画素２０４は、第１光源２１０と総称される第１光源２１０ａ、２１０ｂ、２１０ｃ、及び２１０ｄを含む。各画素２０４の各第１光源２１０は、マイクロＬＥＤのようなＬＥＤ又は光を出す別の適切な構成要素であってもよい。１つの例では、第１光源２１０ａは第１青マイクロＬＥＤなどの第１青光源であっても、第１光源２１０ｂは第１赤マイクロＬＥＤなどの第１赤光源であってもよい。この例では、第１光源２１０ｃは第１緑マイクロＬＥＤなどの緑光源であっても、第１光源２１０ｄは第１白マイクロＬＥＤなどの第１白光源であってもよい。図３に描かれた例では、各第１光源２１０は形状が矩形であるが、他の例では、各光源２１０は別の適切な形状、例えば円形形状を有してもよい。
【００３０】
各第１周縁領域２２２は第１サブ画素２２４の配列を含む。各第１サブ画素２２４は第２光源２３０と総称される第２光源２３０ａ、２３０ｂ、２３０ｃ、及び２３０ｄを含む。各第１サブ画素２２４の各第２光源２３０は、マイクロＬＥＤのようなＬＥＤ又は光を出す別の適切な構成要素であってもよい。１つの例では、第２光源２３０ａは第２青マイクロＬＥＤなどの第２青光源であっても、第２光源２３０ｂは第２赤マイクロＬＥＤなどの第２赤光源であってもよい。この例では、第２光源２３０ｃは第２緑マイクロＬＥＤなどの第２緑光源であっても、第２光源２３０ｄは第２白マイクロＬＥＤなどの第２白光源であってもよい。図３に描かれた例では各第２光源２３０は矩形形状であるが、他の例では、各光源２３０は別の適切な形状、例えば正方形又は円形形状を有してもよい。この例では、各第２光源２３０は各第１光源２１０に直交する。他の例では、他の向きが選択されてもよい。
【００３１】
各周縁領域２２２の各第１サブ画素２２４は各中央領域２０２の各画素２０４の光束の約半分を放出する。第１サブ画素２２４の各第２光源２３０は画素２０４の各第１光源２１０の光束の約半分を放出する。サブディスプレイ２００ａの周縁領域２２２ａはサブディスプレイ２００ｂの周縁領域２２２ｂに隣接する。従って、第１サブディスプレイ２００ａの周縁領域２２２ａの第１サブ画素２２４の配列は第２サブディスプレイ２００ｂの周縁領域２２２ｂの第１サブ画素２２４の配列に隣接し第１継ぎ目画素の配列を提供する。各第１継ぎ目画素は２つのサブ画素２２４を含み、各中央領域２０２の各第１画素２０４にサイズがほぼ等しい。各サブ画素２２４の輝度及び色は独立に制御されサブディスプレイ２００ａ及び２００ｂの間の継ぎ目１９２の可視性を最小化又は事実上除去してもよい。
【００３２】
図４Ａは別の例のタイル張り状ディスプレイ２４０を概略的に描く。タイル張り状ディスプレイ２４０はサブディスプレイ２５０と総称される第１サブディスプレイ２５０ａ、第２サブディスプレイ２５０ｂ、第３サブディスプレイ２５０ｃ、及び第４サブディスプレイ２５０ｄを含む。４つのサブディスプレイ２５０が図４Ａに描かれているが、タイル張り状ディスプレイ２４０は任意の適切な数の行及び列に配列された任意の適切な数のサブディスプレイ２５０を含んでもよい。第１サブディスプレイ２５０ａは第２サブディスプレイ２５０ｂ及び第３サブディスプレイ２５０ｃに隣接する。第４サブディスプレイ２５０ｄは第２サブディスプレイ２５０ｂ及び第３サブディスプレイ２５０ｃに隣接する。第１（即ち、垂直）継ぎ目２４２は第１サブディスプレイ２５０ａと第２サブディスプレイ２５０ｂの間及び第３サブディスプレイ２５０ｃと第４サブディスプレイ２５０ｄの間に画定される。第２（即ち、水平）継ぎ目２４４は第１サブディスプレイ２５０ａと第３サブディスプレイ２５０ｃの間及び第２サブディスプレイ２５０ｂと第４サブディスプレイ２５０ｄの間に画定される。
【００３３】
各サブディスプレイ２５０は図３を参照して前に説明し例示した中央領域２０２及び第１周縁領域２２２を含む。加えて、各サブディスプレイ２５０は第２周縁領域２５２ａ及び２５２ｂ（第２周縁領域２５２と総称される）と、角領域２６２ａ、２６２ｂ、２６２ｃ、及び２６２ｄ（角領域２６２と総称される）とを含む。拡大された角領域２６２を図４Ｂに例示する。各第２周縁領域２５２は各第１周縁領域２２２に直交する。各角領域２６２は第１周縁領域２２２と第２周縁領域２５２との交点にある。
【００３４】
各第２周縁領域２５２は第２サブ画素２５４の配列を含む。各第２サブ画素２５４は前述した第２光源２３０ａ、２３０ｂ、２３０ｃ、及び２３０ｄを含む。この例では、第２周縁領域２５２の各第２サブ画素２５４の第２光源２３０は第１周縁領域２２２の各第１サブ画素２２４の各第２光源２３０に直交する。各第２周縁領域２５２の各第２サブ画素２５４は各中央領域２０２の各画素２０４のサイズの約半分である。
【００３５】
各角領域２６２は第３サブ画素２６４を含む。各第３サブ画素２６４は第３光源２７０と総称される第３光源２７０ａ、２７０ｂ、２７０ｃ、及び２７０ｄを含む。各第３サブ画素２６４の各第３光源２７０は、マイクロＬＥＤのようなＬＥＤ又は光を出す別の適切な構成要素であってもよい。１つの例では、第３光源２７０ａは第３青マイクロＬＥＤなどの第３青光源であっても、第３光源２７０ｂは第３赤マイクロＬＥＤなどの第３赤光源であってもよい。この例では、第３光源２７０ｃは第３緑マイクロＬＥＤなどの第３緑光源であっても、第３光源２７０ｄは第３白マイクロＬＥＤなどの第３白光源であってもよい。図４Ａ、４Ｂに描かれた例では、各第３光源２７０は形状が矩形であるが、他の例では、各光源２７０は別の適切な形状、例えば円形形状を有してもよい。この例では、各角領域２６２の各第３サブ画素２６４の各第３光源２７０は各第２周縁領域２５２の各第２サブ画素２５４の各第２光源２３０と平行である。他の例では、他の向きが選択されてもよい。
【００３６】
各第３サブ画素２６４は各第１画素２０４のサイズの約１／４である。第３サブ画素２６４の各第３光源２７０は画素２０４の各第１光源２１０の光束の約１／４、第１サブ画素２２４及び第２サブ画素２５４の各第２光源２３０の光束の約半分を放出する。第１サブディスプレイ２５０ａの第１周縁領域２２２ａは第２サブディスプレイ２５０ｂの第１周縁領域２２２ｂに隣接する。第１サブディスプレイ２５０ａの第２周縁領域２５２ａは第３サブディスプレイ２５０ｃの第２周縁領域２５２ｂに隣接する。第２サブディスプレイ２５０ｂの第２周縁領域２５２ａは第４サブディスプレイ２５０ｄの第２周縁領域２５２ｂに隣接する。第３サブディスプレイ２５０ｃの第１周縁領域２２２ａは第４サブディスプレイ２５０ｄの第１周縁領域２２２ｂに隣接する。
【００３７】
従って、第１サブディスプレイ２５０ａの第１周縁領域２２２ａの第１サブ画素２２４の配列は第２サブディスプレイ２５０ｂの第１周縁領域２２２ｂの第１サブ画素２２４の配列に隣接し第１継ぎ目画素の配列を提供する。各第１継ぎ目画素は２つのサブ画素２２４を含み、各中央領域２０２の各第１画素２０４にサイズがほぼ等しい。第１サブディスプレイ２５０ａの第２周縁領域２５２ａの第２サブ画素２５４の配列は第３サブディスプレイ２５０ｃの第２周縁領域２５２ｂの第２サブ画素２５４の配列に隣接し第２継ぎ目画素の配列を提供する。各第２継ぎ目画素は２つのサブ画素２５４を含み、各中央領域２０２の各第１画素２０４にサイズがほぼ等しい。第３サブディスプレイ２５０ｃの第１周縁領域２２２ａの第１サブ画素２２４の配列は第４サブディスプレイ２５０ｄの第４周縁領域２２２ｂの第１サブ画素２２４の配列に隣接し第３継ぎ目画素の配列を提供する。各第３継ぎ目画素は２つのサブ画素２２４を含み、各中央領域２０２の各第１画素２０４にサイズがほぼ等しい。第２サブディスプレイ２５０ｂの第２周縁領域２５２ａの第２サブ画素２５４の配列は第４サブディスプレイ２５０ｄの第２周縁領域２５２ｂの第２サブ画素２５４の配列に隣接し第４継ぎ目画素の配列を提供する。各第４継ぎ目画素は２つのサブ画素２５４を含み、各中央領域２０２の各第１画素２０４にサイズがほぼ等しい。
【００３８】
第１サブディスプレイ２５０ａの角領域２６２ｄは第２サブディスプレイ２５０ｂの角領域２６２ｃに隣接する。第１サブディスプレイ２５０ａの角領域２６２ｂは第３サブディスプレイ２５０ｃの角領域２６２ｃに隣接する。第２サブディスプレイ２５０ｂの角領域２６２ａは第４サブディスプレイ２５０ｄの角領域２６２ｄに隣接する。第３サブディスプレイ２５０ｃの角領域２６２ａは第４サブディスプレイ２５０ｄの角領域２６２ｂに隣接する。第１サブディスプレイ２５０ａの角領域２６２ａ、第２サブディスプレイ２５０ｂの角領域２６２ｂ、第３サブディスプレイ２５０ｃの角領域２６２ｄ、及び第４サブディスプレイ２５０ｄの角領域２６２ｃは互いに隣接し角継ぎ目画素を提供する。角継ぎ目画素は４つの角サブ画素２６４を含み、各中央領域２０２の各第１画素２０４にサイズがほぼ等しい。各第１サブ画素２２４、各第２サブ画素２５４、及び各角サブ画素２６４の輝度及び色は独立に制御されサブディスプレイ２５０ａ、２５０ｂ、２５０ｃ、及び２５０ｄの間の第１継ぎ目２４２及び第２継ぎ目２４４の可視性を最小化又は事実上除去してもよい。
【００３９】
図５は図３のタイル張り状ディスプレイ１９０又は図４Ａのタイル張り状ディスプレイ２４０などのタイル張り状ディスプレイの代表的な継ぎ目３００ａを概略的に描く。継ぎ目３００ａは第１サブディスプレイの周縁領域３０２ａを第２サブディスプレイの周縁領域３０２ｂに隣接して配置することで形成される。周縁領域３０２ａはサブ画素３０４ａの配列を含み、周縁領域３０２ｂはサブ画素３０４ｂの配列を含む。各サブ画素３０４ａ及び３０４ｂは光源３０６と総称される光源３０６ａ、３０６ｂ、３０６ｃ、及び３０６ｄを含む。各サブ画素３０４ａ及び３０４ｂの各光源３０６はマイクロＬＥＤのようなＬＥＤ又は光を出す別の適切な構成要素であってもよい。１つの例では、光源３０６ａは青マイクロＬＥＤなどの青光源であっても、光源３０６ｂは赤マイクロＬＥＤなどの赤光源であってもよい。この例では、光源３０６ｃは緑マイクロＬＥＤなどの緑光源であっても、光源３０６ｄは白マイクロＬＥＤなどの白光源であってもよい。図５に描かれた例では、各光源３０６は形状が矩形であるが、他の例では、各光源３０６は別の適切な形状、例えば円形形状を有してもよい。この例では、各サブ画素３０４ａの光源３０６ａ、３０６ｂ、３０６ｃ、及び３０６ｄは各サブ画素３０４ｂの光源３０６ａ、３０６ｂ、３０６ｃ、及び３０６ｄとそれぞれ整列している。各サブ画素３０４ａ及び３０４ｂの輝度及び色は独立に制御され継ぎ目３００ａの可視性を最小化又は事実上除去してもよい。
【００４０】
図５は継ぎ目画素内の光源の配列を例示し、同じタイプの光源は継ぎ目線に関して対称である。下記の図６〜図１０において、継ぎ目画素内の光源の他の配列が描かれている。複数の継ぎ目画素に亘る平均輝度及び色は各配列で同じかもしれない。複数の継ぎ目画素内の空間輝度及び色は僅かに異なるかもしれない。複数の継ぎ目画素内の光源の最も適切な配列は特定の用途に基づいて選択されてよい。
【００４１】
図６は図３のタイル張り状ディスプレイ１９０又は図４Ａのタイル張り状ディスプレイ２４０などのタイル張り状ディスプレイの別の例の継ぎ目３００ｂを概略的に描く。継ぎ目３００ｂは第１サブディスプレイの周縁領域３０２ａを第２サブディスプレイの周縁領域３０２ｂに隣接して配置することで形成される。周縁領域３０２ａはサブ画素３０４ａの配列を含み、周縁領域３０２ｂはサブ画素３０４ｂの配列を含む。各サブ画素３０４ａ及び３０４ｂは前述した光源３０６ａ、３０６ｂ、３０６ｃ、及び３０６ｄを含む。この例では、各サブ画素３０４ｂの光源３０６ａ、３０６ｂ、３０６ｃ、及び３０６ｄの順番は各サブ画素３０４ａの光源３０６ａ、３０６ｂ、３０６ｃ、及び３０６ｄに対して逆転している。従って、各サブ画素３０４ａの光源３０６ａ、３０６ｂ、３０６ｃ、及び３０６ｄは各サブ画素３０４ｂの光源３０６ｄ、３０６ｃ、３０６ｂ、及び３０６ａとそれぞれ整列している。各サブ画素３０４ａ及び３０４ｂの輝度及び色は独立に制御され継ぎ目３００ｂの可視性を最小化又は事実上除去してもよい。
【００４２】
図７は図３のタイル張り状ディスプレイ１９０又は図４Ａのタイル張り状ディスプレイ２４０などのタイル張り状ディスプレイの別の例の継ぎ目３００ｃを概略的に描く。継ぎ目３００ｃは第１サブディスプレイの周縁領域３０２ａを第２サブディスプレイの周縁領域３０２ｂに隣接して配置することで形成される。周縁領域３０２ａはサブ画素３０４ａの配列を含み、周縁領域３０２ｂはサブ画素３０４ｂの配列を含む。各サブ画素３０４ａ及び３０４ｂは前述した光源３０６ａ、３０６ｂ、３０６ｃ、及び３０６ｄを含む。この例では、各サブ画素３０４ａ及び３０４ｂの各光源３０６ａ、３０６ｂ、３０６ｃ、及び３０６ｄは斜めに配置されている。１つの例では、各光源は各サブディスプレイの中央領域の各光源（不図示）に対して１０度と８０度の間の角度で配置されている。各サブ画素３０４ａ及び３０４ｂの輝度及び色は独立に制御され継ぎ目３００ｃの可視性を最小化又は事実上除去してもよい。
【００４３】
図８は図３のタイル張り状ディスプレイ１９０又は図４Ａのタイル張り状ディスプレイ２４０などのタイル張り状ディスプレイの別の例の継ぎ目３００ｄを概略的に描く。継ぎ目３００ｄは第１サブディスプレイの周縁領域３０２ａを第２サブディスプレイの周縁領域３０２ｂに隣接して配置することで形成される。周縁領域３０２ａはサブ画素３０４ａの配列を含み、周縁領域３０２ｂはサブ画素３０４ｂの配列を含む。各サブ画素３０４ａ及び３０４ｂは前述した光源３０６ａ、３０６ｂ、３０６ｃ、及び３０６ｄを含む。この例では、各サブ画素３０４ａ及び３０４ｂの各光源３０６ａ、３０６ｂ、３０６ｃ、及び３０６ｄは斜めに配置され、各サブ画素３０４ｂの光源３０６ａ、３０６ｂ、３０６ｃ、及び３０６ｄの順番は各サブ画素３０４ａの光源３０６ａ、３０６ｂ、３０６ｃ、及び３０６ｄに対して逆転している。各サブ画素３０４ａ及び３０４ｂの輝度及び色は独立に制御され継ぎ目３００ｄの可視性を最小化又は事実上除去してもよい。
【００４４】
図９は図３のタイル張り状ディスプレイ１９０又は図４Ａのタイル張り状ディスプレイ２４０などのタイル張り状ディスプレイの別の例の継ぎ目３００ｅを概略的に描く。継ぎ目３００ｅは第１サブディスプレイの周縁領域３０２ａを第２サブディスプレイの周縁領域３０２ｂに隣接して配置することで形成される。周縁領域３０２ａはサブ画素３０４ａの配列を含み、周縁領域３０２ｂはサブ画素３０４ｂの配列を含む。各サブ画素３０４ａ及び３０４ｂは前述した光源３０６ａ、３０６ｂ、３０６ｃ、及び３０６ｄを含む。この例では、各サブ画素３０４ａ及び３０４ｂの各光源３０６ａ、３０６ｂ、３０６ｃ、及び３０６ｄは斜めに配置され、その角度は周縁領域３０２ａ内の隣接するサブ画素３０４ａ間及び周縁領域３０２ｂ内の隣接するサブ画素３０４ｂ間で切り替わる。加えて、光源３０６ａ、３０６ｂ、３０６ｃ、及び３０６ｄの順番は周縁領域３０２ａ内の隣接するサブ画素３０４ａ間及び周縁領域３０２ｂ内の隣接するサブ画素３０４ｂ間で交番する。更に、各サブ画素３０４ｂの光源３０６ａ、３０６ｂ、３０６ｃ、及び３０６ｄの順番は各直接隣接するサブ画素３０４ａの光源３０６ａ、３０６ｂ、３０６ｃ、及び３０６ｄに対して逆転している。各サブ画素３０４ａ及び３０４ｂの輝度及び色は独立に制御され継ぎ目３００ｅの可視性を最小化又は事実上除去してもよい。
【００４５】
図９は図３のタイル張り状ディスプレイ１９０又は図４Ａのタイル張り状ディスプレイ２４０などのタイル張り状ディスプレイの別の例の継ぎ目３００ｅを概略的に描く。継ぎ目３００ｅは第１サブディスプレイの周縁領域３０２ａを第２サブディスプレイの周縁領域３０２ｂに隣接して配置することで形成される。周縁領域３０２ａはサブ画素３０４ａの配列を含み、周縁領域３０２ｂはサブ画素３０４ｂの配列を含む。各サブ画素３０４ａ及び３０４ｂは前述した光源３０６ａ、３０６ｂ、３０６ｃ、及び３０６ｄを含む。この例では、各サブ画素３０４ａ及び３０４ｂの各光源３０６ａ、３０６ｂ、３０６ｃ、及び３０６ｄは斜めに配置され、その角度は周縁領域３０２ａ内の隣接するサブ画素３０４ａ間及び周縁領域３０２ｂ内の隣接するサブ画素３０４ｂ間で切り替わる。加えて、光源３０６ａ、３０６ｂ、３０６ｃ、及び３０６ｄの順番は周縁領域３０２ａ内の隣接するサブ画素３０４ａ間及び周縁領域３０２ｂ内の隣接するサブ画素３０４ｂ間で交番する。更に、各サブ画素３０４ｂの光源３０６ａ、３０６ｂ、３０６ｃ、及び３０６ｄの順番は各直接隣接するサブ画素３０４ａの光源３０６ａ、３０６ｂ、３０６ｃ、及び３０６ｄに対して逆転している。各サブ画素３０４ａ及び３０４ｂの輝度及び色は独立に制御され継ぎ目３００ｅの可視性を最小化又は事実上除去してもよい。
【００４６】
図１０は図３のタイル張り状ディスプレイ１９０又は図４Ａのタイル張り状ディスプレイ２４０などのタイル張り状ディスプレイの別の例の継ぎ目３００ｆを概略的に描く。継ぎ目３００ｆは第１サブディスプレイの周縁領域３０２ａを第２サブディスプレイの周縁領域３０２ｂに隣接して配置することで形成される。周縁領域３０２ａはサブ画素３０４ａの配列を含み、周縁領域３０２ｂはサブ画素３０４ｂの配列を含む。各サブ画素３０４ａ及び３０４ｂは前述した光源３０６ａ、３０６ｂ、３０６ｃ、及び３０６ｄを含む。この例では、各サブ画素３０４ａの各光源３０６ａ、３０６ｂ、３０６ｃ、及び３０６ｄの配置は周縁領域３０２ａ内で隣接するサブ画素３０４ａ間で第１半ランダムパターン状に異なる。加えて、各サブ画素３０４ｂの各光源３０６ａ、３０６ｂ、３０６ｃ、及び３０６ｄの配置は周縁領域３０２ｂ内で隣接するサブ画素３０４ｂ間で第２半ランダムパターン状に異なる。更に各サブ画素３０４ａ及び３０４ｂ内の光源３０６ａ、３０６ｂ、３０６ｃ、及び３０６ｄは互いにずれて、斜めに、異なる順番に、及び／又はそれらの組み合わせで配置され、継ぎ目３００ｆに沿って直接隣接するサブ画素３０４ａ及び３０４ｂ間に半ランダムパターンを提供する。各サブ画素３０４ａ及び３０４ｂの輝度及び色は独立に制御され継ぎ目３００ｆの可視性を最小化又は事実上除去してもよい。
【００４７】
図１１はディスプレイを製造するための一例の方法４００を例示するフロー図である。４０２において、方法４００は複数のサブディスプレイを準備することを含み、各サブディスプレイは複数の第１画素を含む中央領域と複数の第１サブ画素を含む周縁領域とを備え、各第１画素は少なくとも１つの第１マイクロＬＥＤを含み、各第１サブ画素は各第１マイクロＬＥＤより少ない光束を放出する少なくとも１つの第２マイクロＬＥＤを含む。４０４において、方法４００は、各サブディスプレイの第１サブ画素が隣接するサブディスプレイの第１サブ画素と隣接するようにそれら複数のサブディスプレイを互いに隣接して配置して、隣接するサブディスプレイ間を延びる複数の継ぎ目画素を提供することを含む。
【００４８】
１つの例では、複数のサブディスプレイは各継ぎ目画素が各第１画素の面積に等しい面積を有するよう配置される。各サブディスプレイの周縁領域は角サブ画素を更に含んでもよい。各角サブ画素は各第２マイクロＬＥＤより少ない光束を放出する少なくとも１つの第３マイクロＬＥＤを含む。この場合、方法４００は、各サブディスプレイの角サブ画素が３つの隣接するサブディスプレイの角サブ画素と直接隣接するように複数のサブディスプレイを互いに隣接して配置して、隣接するサブディスプレイ間を延びる角画素を提供することを更に含んでもよい。それら複数のサブディスプレイは各角画素が各第１画素の面積に等しい面積を有するように配置されてもよい。
【００４９】
本開示の実施形態に対して様々な部分変更及び変形が本開示の要旨及び範囲から逸脱することなくされうることは当業者には明らかであろう。従って、本開示はそのような部分変更及び変形を、それらが添付の請求項とそれらの等価物の範囲内に入る場合、包含することが意図されている。
【００５０】
以下、本発明の好ましい実施形態を項分け記載する。
【００５１】
実施形態１
タイル張り状ディスプレイ用のサブディスプレイであって、
画素の配列を備えた中央領域であって、各画素は第１領域と少なくとも１つの第１光源とを有する、中央領域と、
第１サブ画素の配列を備えた第１周縁領域であって、各第１サブ画素は第２領域と少なくとも１つの第２光源とを有する、第１周縁領域と
を備え、
各第２領域は各第１領域より小さく、各第２光源は各第１光源より少ない光束を放出する、サブディスプレイ。
【００５２】
実施形態２
各第２領域は各第１領域のサイズの半分であり、
前記中央領域の各画素の輝度は各第１サブ画素の輝度に等しい、実施形態１記載のサブディスプレイ。
【００５３】
実施形態３
各第２領域は各第１領域のサイズの半分であり、
各第２光源は各第１光源のサイズの半分である、実施形態１又は２記載のサブディスプレイ。
【００５４】
実施形態４
前記第１光源のそれぞれは第１マイクロＬＥＤを含み、
前記第２光源のそれぞれは第２マイクロＬＥＤを含む、実施形態１〜３のいずれかに記載のサブディスプレイ。
【００５５】
実施形態５
各画素は第１赤マイクロＬＥＤ、第１緑マイクロＬＥＤ、及び第１青マイクロＬＥＤを含み、
各第１サブ画素は第２赤マイクロＬＥＤ、第２緑マイクロＬＥＤ、及び第２青マイクロＬＥＤを含む、実施形態４記載のサブディスプレイ。
【００５６】
実施形態６
各画素は第１白マイクロＬＥＤを含み、各第１サブ画素は第２白マイクロＬＥＤを含む、実施形態５記載のサブディスプレイ。
【００５７】
実施形態７
各第１サブ画素の前記第２赤マイクロＬＥＤ、前記第２緑マイクロＬＥＤ、及び前記第２青マイクロＬＥＤは互いに対してずれている、実施形態５記載のサブディスプレイ。
【００５８】
実施形態８
各第２光源は各第１光源と直交する、実施形態１〜７のいずれかに記載のサブディスプレイ。
【００５９】
実施形態９
各第２光源は各第１光源に対して１０度と８０度の間の角度で配置されている、実施形態１〜７のいずれかに記載のサブディスプレイ。
【００６０】
実施形態１０
第２サブ画素の配列を備えた第２周縁領域であって、各第２サブ画素は第２領域と少なくとも１つの第２光源とを有する、第２周縁領域を更に備え、
第２サブ画素の前記配列は第１サブ画素の前記配列と直交する、実施形態１〜９のいずれかに記載のサブディスプレイ。
【００６１】
実施形態１１
第３サブ画素を備えた角領域であって、前記第３サブ画素は第３領域と少なくとも１つの第３光源とを有する、角領域を更に備え、
前記第３領域は各第２領域より小さく、前記第３光源は各第２光源より少ない光束を放出する、実施形態１０記載のサブディスプレイ。
【００６２】
実施形態１２
前記第３領域は各第１領域のサイズの１／４であり、
前記中央領域の各画素の輝度は各第３サブ画素の輝度に等しい、実施形態１１記載のサブディスプレイ。
【００６３】
実施形態１３
前記第３領域は各第１領域のサイズの１／４であり、
前記第３光源は各第１光源のサイズの１／４である、実施形態１１又は１２記載のサブディスプレイ。
【００６４】
実施形態１４
第１サブディスプレイと前記第１サブディスプレイに隣接する第２サブディスプレイとを備えるタイル張り状ディスプレイであって、
前記第１サブディスプレイ及び前記第２サブディスプレイのそれぞれは
第１画素の配列を備えた中央領域であって、各第１画素は少なくとも１つの第１光源を有する、中央領域と、
第１サブ画素の配列を備えた第１周縁領域であって、各第１サブ画素は少なくとも１つの第２光源を有する、第１周縁領域と
を備え、
前記各第１サブ画素は前記各第１画素のサイズより小さく、
前記第１サブディスプレイの第１サブ画素の前記配列は前記第２サブディスプレイの第１サブ画素の前記配列と隣接して第１継ぎ目画素の配列を提供する、タイル張り状ディスプレイ。
【００６５】
実施形態１５
各サブディスプレイは
第２サブ画素の配列を備えた第２周縁領域と、
第１サブ画素の前記配列と第２サブ画素の前記配列との交点にある角サブ画素と
を更に備え、
前記角サブ画素は前記各第１サブ画素のサイズより小さい、実施形態１４記載のタイル張り状ディスプレイ。
【００６６】
実施形態１６
前記各第１サブ画素は前記各第１画素のサイズの半分であり、前記角サブ画素は前記各第１画素のサイズの１／４である、実施形態１５記載のタイル張り状ディスプレイ。
【００６７】
実施形態１７
前記第１サブディスプレイに隣接した第３サブディスプレイを更に備え、
前記第１サブディスプレイの第２サブ画素の前記配列は前記第３サブディスプレイの第２サブ画素の前記配列に隣接して第２継ぎ目画素の配列を提供する、実施形態１５又は１６記載のタイル張り状ディスプレイ。
【００６８】
実施形態１８
前記第２サブディスプレイ及びに前記第３サブディスプレイに隣接した第４サブディスプレイを更に備え、
前記第３サブディスプレイの第１サブ画素の前記配列は前記第４サブディスプレイの第１サブ画素の前記配列に隣接して第３継ぎ目画素の配列を提供し、
前記第２サブディスプレイの第２サブ画素の前記配列は前記第４サブディスプレイの第２サブ画素の前記配列に隣接して第４継ぎ目画素の配列を提供し、
前記第１サブディスプレイの前記角サブ画素、前記第２サブディスプレイの前記角サブ画素、前記第３サブディスプレイの前記角サブ画素、及び前記第４サブディスプレイの前記角サブ画素は互いに隣接して角継ぎ目画素を提供する、実施形態１７記載のタイル張り状ディスプレイ。
【００６９】
実施形態１９
前記第１サブディスプレイの各第１サブ画素は第１構成に配列された複数のマイクロＬＥＤを備え、
前記第２サブディスプレイの各第１サブ画素は前記第１構成と異なる第２構成に配列された複数のマイクロＬＥＤを備える、実施形態１４記載のタイル張り状ディスプレイ。
【００７０】
実施形態２０
ディスプレイを製造するための方法であって、
複数のサブディスプレイを準備するステップであって、各サブディスプレイは複数の第１画素を備えた中央領域と複数の第１サブ画素を備えた周縁領域とを有し、各第１画素は少なくとも１つの第１マイクロＬＥＤを備え、各第１サブ画素は各第１マイクロＬＥＤより少ない光束を放出するように構成された少なくとも１つの第２マイクロＬＥＤを備える、ステップと、
前記複数のサブディスプレイを、各サブディスプレイの第１サブ画素が隣接するサブディスプレイの第１サブ画素に隣接するように、互いに隣接して配置して、隣接するサブディスプレイ間を延びる複数の継ぎ目画素を提供するステップと
を含む方法。
【００７１】
実施形態２１
前記複数のサブディスプレイは各継ぎ目画素が各第１画素の面積と等しい面積を有するように配置される、実施形態２０記載の方法。
【００７２】
実施形態２２
各サブディスプレイの前記周縁領域は複数の角サブ画素を更に備え、各角サブ画素は各第２マイクロＬＥＤより少ない光束を放出するように構成された少なくとも１つの第３マイクロＬＥＤを備え、
前記複数のサブディスプレイを、各サブディスプレイの角サブ画素が３つの隣接するサブディスプレイの角サブ画素に直接隣接するように、互いに隣接して配置して、隣接するサブディスプレイ間を延びる角画素を提供するステップを更に含む実施形態２０又は２１記載の方法。
【００７３】
実施形態２３
前記複数のサブディスプレイは各角画素が各第１画素の面積と等しい面積を有するように配置される、実施形態２２記載の方法。
【符号の説明】
【００７４】
１００、１５０    サブディスプレイ
１０２    中央領域
１０４    画素
１１０    第１光源
１２２ａ、１２２ｂ    第１周縁領域
１２４    第１サブ画素
１３０    第２光源
１５２ａ、１５２ｂ    第２周縁領域
１５４    第２サブ画素
１６２ａ〜１６２ｄ    角領域
１６４    第３サブ画素
１７０    第３光源
２００ａ、２００ｂ    サブディスプレイ
２０２    中央領域
２０４    画素
２１０ａ〜２１０ｄ    第１光源
２２２ａ、２２２ｂ    第１周縁領域
２２４    第１サブ画素
２３０ａ〜２３０ｄ    第２光源
２４２、２４４    継ぎ目
２５０ａ〜２５０ｄ    サブディスプレイ
２５２ａ、２５２ｂ    第２周縁領域
２５４    第２サブ画素
２６２ａ〜２６２ｄ    角領域
２６４    第３サブ画素
２７０ａ〜２７０ｄ    第３光源
３００ａ〜３００ｆ    継ぎ目
３０２ａ、３０２ｂ    周縁領域
３０４ａ、３０４ｂ    サブ画素
３０６ａ〜３０６ｄ    光源
【図１】
2020536270.tif 000003
【図２】
2020536270.tif 000004
【図３】
2020536270.tif 000005
【図４Ａ】
2020536270.tif 000006
【図４Ｂ】
2020536270.tif 000007
【図５】
2020536270.tif 000008
【図６】
2020536270.tif 000009
【図７】
2020536270.tif 000010
【図８】
2020536270.tif 000011
【図９】
2020536270.tif 000012
【図１０】
2020536270.tif 000013
【図１１】
2020536270.tif 000014
【国際調査報告】
2020536270.tif 000015
2020536270.tif 000016